(57)【特許請求の範囲】
【請求項１】
カセット本体に下端部が軸支され、内部に１対のサイドフェンスを有し、サイドフェンスの上端部開口で形成される給紙口が、水平方向に向き給紙が可能となる第一の姿勢と、給紙口が上方に向き用紙のセットが可能となる第二の姿勢とに旋廻する用紙ホルダを備え、
前記サイドフェンスは用紙ホルダの給紙方向後端部付近を旋廻支点とし、給紙口の幅が用紙の幅方向に開くように揺動することを特徴とする給紙カセット。
【請求項２】
カセット本体に下端部が軸支され、内部に１対のサイドフェンスを有し、サイドフェンスの上端部開口で形成される給紙口が、水平方向に向き給紙が可能となる第一の姿勢と、給紙口が上方に向き用紙のセットが可能となる第二の姿勢とに旋廻する用紙ホルダを備え、
前記サイドフェンスは用紙ホルダの給紙方向後端部付近を旋廻支点とし、給紙口の幅が用紙の幅方向に最大に開くようにスプリングにより付勢され、且つ用紙の幅を規制した位置にてロック可能な機構を備えたことを特徴とする給紙カセット。
【発明の詳細な説明】
【０００１】
【発明の属する技術分野】
本発明は、プリンタ、複写機などの画像形成装置に備えられた給紙カセットに関するものである。
【０００２】
【従来の技術】
プリンタや複写機などの画像形成装置において用紙を給紙カセットにセットする際、用紙の幅方向をガイドするためにサイドフェンスを用紙両端部に、用紙の搬送方向をガイドするためにバックフェンスを用紙後端部に設置する。通常、用紙は用紙パック開封後すぐに給紙カセットにセットされるため、幅及び搬送方向とも揃っており、サイドフェンス、バックフェンスの設置は容易に行うことができる。
【０００３】
【発明が解決しようとする課題】
しかし、既に片面を印刷した用紙の裏面を使用する場合や、一度用紙パックを開封した後に放置されていた用紙を使用する場合は、幅及び搬送方向ともに端面が揃っていないことがある。用紙の端面が不揃いのまま給紙カセットにセットすると、用紙自身の自重と紙面の摩擦により各々の用紙は自由に移動することができず、無理に揃えようとすると端部を潰したり折り曲げてしまう恐れがある。
【０００４】
また、端面が不揃いの用紙をセットすると、サイドフェンスやバックフェンスは規定の位置でガイドすることができず、スキュ−や横ずれなどの問題が発生する。
【０００５】
本発明は、用紙の紙面摩擦を軽減し、サイドフェンスの操作により容易に用紙端部を揃えられる機構を有する給紙カセットを提供することを目的とする。
【０００６】
【課題を解決するための手段】
上記目的を達成するために請求項１記載の発明は、カセット本体に下端部が軸支され、内部に１対のサイドフェンスを有し、サイドフェンスの上端部開口で形成される給紙口が、水平方向に向き給紙が可能となる第一の姿勢と、給紙口が上方に向き用紙のセットが可能となる第二の姿勢とに旋廻する用紙ホルダを備え、サイドフェンスは用紙ホルダの給紙方向後端部付近を旋廻支点とし、給紙口の幅が用紙の幅方向に開くように揺動する給紙カセットであることを特徴とする。
【０００７】
請求項２記載の発明は、カセット本体に下端部が軸支され、内部に１対のサイドフェンスを有し、サイドフェンスの上端部開口で形成される給紙口が、水平方向に向き給紙が可能となる第一の姿勢と、給紙口が上方に向き用紙のセットが可能となる第二の姿勢とに旋廻する用紙ホルダを備え、サイドフェンスは用紙ホルダの給紙方向後端部付近を旋廻支点とし、給紙口の幅が用紙の幅方向に最大に開くようにスプリングにより付勢され、且つ用紙の幅を規制した位置にてロック可能な機構を備えた給紙カセットであることを特徴とする。
【００１０】
【発明の実施の形態】
以下本発明の実施の形態を図面に基づき詳細に説明する。図１は本発明の第一の実施の形態に係る給紙カセットにおける用紙ホルダの第二の姿勢を示した斜視図であり、図２は第一の姿勢を示した斜視図である。
【００１１】
カセット本体１内に設けられた軸受け部５に取り付けられた用紙ホルダ２は、支軸６を中心に旋廻可能な構造となっている。また、用紙ホルダ２は、その内部にあって幅方向両端部に１対のサイドフェンス３を有している。サイドフェンス３は図１の上方から見た場合にコ字状となっている。１対のサイドフェンス３の上端面で給紙口が形成される。
【００１２】
図１は用紙セットのため用紙ホルダ２を、給紙口を上に向けて立てた第二の姿勢を示している。このときスライドガイド４に沿って用紙の幅方向に水平にスライド可能なサイドフェンス３は、シ−ト束Ｓの幅Ｗよりも十分広く開いた位置に設置しておく。シ−ト束Ｓは図１に矢印で示したように用紙ホルダ２の給紙口よりセットされる。
【００１３】
ここでセットするシ−ト束Ｓの積載量は、シ−ト束Ｓの高さＨがサイドフェンス３の内幅ｈよりも少なくなる積載量とする。用紙ホルダ２にセットされたシ−ト束Ｓは、サイドフェンス３をスライドすることにより幅が揃えられる。サイドフェンス３のスライド操作でシ−ト束Ｓの幅を揃えた後、図２に示すように用紙ホルダ２を給紙カセット内に倒し、給紙可能な第一の姿勢とする。
【００１４】
底板部７は用紙ホルダ２を倒す際、シ−トが搬送方向にずれないように受ける役割を果たしている。また、面取り部８を用紙ホルダ２の給紙口に設けることにより、用紙のセットがより容易となる。
【００１５】
図３は本発明の第二の実施の形態に係る給紙カセットにおける用紙ホルダの第二の姿勢を示した斜視図である。図３に示すように用紙ホルダ２のサイドフェンス３を、用紙ホルダ２の底板部７に設けた支軸９を旋廻支点として、給紙口の幅が最大まで開くように揺動可能とした。サイドフェンス３の給紙方向寄りに設けた揺動ガイドピン１０は、サイドフェンス３の旋回動作に合わせてスライドガイド４に円弧状に設けたガイド溝１１に沿って移動するので、サイドフェンス３の揺動動作を滑らかに行うことができる。
【００１６】
図４は本発明の第三の実施の形態に係る給紙カセットにおける用紙ホルダの第二の姿勢を示した正面図であり、図４の（ａ）はサイドフェンスが閉じた状態、（ｂ）はサイドフェンスが開いた状態を示している。
【００１７】
底板部７を延長した支柱１２上に設けられた直線状のガイド溝１３に、組み合わせリンク１４のピン１５を移動させることにより、両側のサイドフェンス３の揺動動作を同時に滑らかに行うことができる。レバー１６を上下に操作することにより、サイドフェンス３の開閉を片手で操作することができる。
【００１８】
図５は本発明の第四の実施の形態に係る給紙カセットにおける用紙ホルダの第二の姿勢を示した正面図であり、図５の（ａ）はサイドフェンスが閉じた状態、（ｂ）はサイドフェンスが開いた状態を示している。
【００１９】
図では裏側となるため破線で示されているが、底板部７の延長した支柱１２に設けた直線状のガイド溝１３に、組み合わせリンク１４のピン１５を移動させることにより、両側のサイドフェンス３の揺動動作を同時に行うことができ、且つ、リンク１４の延長上に設けたレバー１６とカセット本体１に取り付けたスプリング１７により、サイドフェンス３は図５の（ｂ）に示すように常に開いた状態に付勢されている。
【００２０】
また、サイドフェンス３が開いた状態で、リンク１４上のストッパ−ピン１８を、底板部７を延長した支柱１２に設けられたロック穴１９に嵌めることにより、サイドフェンス３を図５の（ａ）に示すように閉じた状態に保持することができ、さらに、ストッパ−ピン１８をロック穴１９から抜くことで、スプリング１７の付勢力によりサイドフェンス３を開いた状態にすることができる。
【００２１】
【発明の効果】
本発明によれば、カセット本体に下端部が軸支され、内部に１対のサイドフェンスを有し、サイドフェンスの上端部開口で形成される給紙口が、水平方向に向き給紙が可能となる第一の姿勢と、給紙口が上方に向き用紙のセットが可能となる第二の姿勢とに旋廻する用紙ホルダを備えたので、既に片面を印刷した用紙や、用紙パック開封後に放置されたため端面が揃っていない用紙をセットする場合でも、第二の姿勢では用紙自身の自重や擦れによる紙面の摩擦が生じにくいので、サイドフェンスの操作により容易に端部を揃えることができる。また揃えた用紙を乱すことなく第一の姿勢に旋廻させ給紙することができる。
【００２２】
本発明によれば、サイドフェンスは用紙ホルダに設けたスライドガイドに沿って用紙の幅方向に左右にスライドするので、セットされた用紙の端部を容易に揃えることができる。
【００２３】
本発明によれば、サイドフェンスは用紙ホルダの給紙方向後端部付近を旋廻支点とし、給紙口の幅が用紙の幅方向に開くように揺動するので、最大に開いておけば用紙をセットする際、サイドフェンスの淵に引っ掛けることなく容易にセットができ、また、セットされた用紙の端部を容易に揃えることができる。
【００２４】
本発明によれば、サイドフェンスは用紙ホルダの給紙方向後端部付近を旋廻支点とし、給紙口の幅が用紙の幅方向に最大に開くようにスプリングにより付勢され、且つ用紙の幅を規制した位置にてロック可能な機構を備えたので、ロックを解除することによりスプリングの力でサイドフェンスを最大に開くことができ、用紙のセットが容易にできる。また、セットされた用紙の端部を容易に揃えることができる。
【図面の簡単な説明】
【図１】本発明の第一の実施の形態に係る給紙カセットにおける用紙ホルダの第二の姿勢を示した斜視図である。
【図２】本発明の第一の実施の形態に係る給紙カセットにおける用紙ホルダの第一の姿勢を示した斜視図である。
【図３】本発明の第二の実施の形態に係る給紙カセットにおける用紙ホルダの第二の姿勢を示した斜視図である。
【図４】本発明の第三の実施の形態に係る給紙カセットにおける用紙ホルダの第二の姿勢を示した正面図である。
【図５】本発明の第四の実施の形態に係る給紙カセットにおける用紙ホルダの第二の姿勢を示した正面図である。
【符号の説明】
１  カセット本体
２  用紙ホルダ
３  サイドフェンス
４  スライドガイド
５  軸受け部
６  支軸
７  底板部
８  面取り部
９  支軸
１０  揺動ガイドピン
１１  ガイド溝
１２  支柱
１３  ガイド溝
１４  リンク
１５  ピン
１６  レバー
１７  スプリング
１８  ストッパ−ピン
１９  ロック穴
【図１】
0004177978.tif 000002
【図２】
0004177978.tif 000003
【図３】
0004177978.tif 000004
【図４】
0004177978.tif 000005
【図５】
0004177978.tif 000006